(57)【要約】【課題】  従来、複数の記録可能層を有する光ディスクにおいて、現在記録または再生を行っている層とは別の層の種類と記録状態が不明であった。そのため別の層への記録命令に対する応答に時間を要していた。【解決手段】  複数の記録可能層を有し、各々の層に対して光学的に情報の記録または再生を行う記録可能型光ディスクにおいて、ある記録可能層の管理領域に別の記録可能層の種類を示す種別領域と記録状態を示す表示領域を設ける。その表示領域の情報を基に、その別の層への記録命令に対してその層へアクセスする前に判断可能とする。【選択図】    図１
2006228305.tif 000002
【特許請求の範囲】
【請求項１】
複数の記録可能層を有し、各々の層に対して光学的に情報の記録を行う記録可能型光ディスクにおいて、ある記録可能層の管理領域に別の記録可能層の種類を示す種別領域と記録状態を示す表示領域を設けたことを特徴とする記録可能型光ディスク。
【請求項２】
上記表示領域は、その別の記録層が記録可能な状態であるかどうかを表示可能としたことを特徴とする請求項１に記載の記録可能型光ディスク。
【請求項３】
上記複数の記録可能層は互いに異なる波長の光を用いて記録する層であることを特徴とする請求項１または２に記載の記録可能型光ディスク。
【請求項４】
上記複数の記録可能層は全て追記可能型の記録層であることを特徴とする請求項１乃至３のいずれか１項に記載の記録可能型光ディスク。
【請求項５】
上記種別領域は、書き換え不可能な領域に設けられていることを特徴とする請求項１乃至４のいずれか１項に記載の記録可能型光ディスク。
【請求項６】
複数の記録可能層を有し各々の層が光学的に情報の記録可能な記録可能型光ディスクに対して記録を行う光ディスク装置において、上記記録可能型光ディスクのある記録可能層の管理領域に設けられた別の記録層の記録状態を表示する表示領域に対して、その別の記録層の記録状態を記録する手段を有することを特徴とする光ディスク装置。
【請求項７】
上記光ディスク装置は、上記表示領域に示された別の記録可能層の状態と、その別の記録可能層の状態が一致していない場合に、その表示領域の状態をその別の記録可能層の状態と一致するように変更する手段を有することを特徴とする請求項６に記載の光ディスク装置。
【請求項８】
上記光ディスク装置は、ある記録可能層上の上記表示領域を再生し、その表示内容に応じて別の記録層へのアクセス要否を判断する判断手段を有することを特徴とする請求項６または７に記載の光ディスク装置。
【請求項９】
上記光ディスク装置は複数の波長の光源を有することを特徴とする請求項６乃至８のいずれか１項に記載の光ディスク装置。
【請求項１０】
上記光ディスク装置は、上記表示領域に示された別の記録可能層の種類が追記型であるとともに状態が記録不可である場合に、その別の記録層への記録命令に対して、その別の記録層へアクセスする前に記録不可を返答する返答手段を有することを特徴とする請求項６乃至９のいずれか１項に記載の光ディスク装置。
【請求項１１】
請求項１に記載の記録可能型光ディスクを再生する光ディスク装置において、ある記録可能層の表示領域にアクセスする手段と、上記アクセスした記録可能層の表示領域から、別の記録可能層の状態を表す情報を読み取る手段とを備えることを特徴とする光ディスク装置。
【発明の詳細な説明】
【技術分野】
【０００１】
この発明は複数の記録可能層を有する光ディスク、及び、その光ディスクに対して情報の記録または再生を行う光ディスク装置に係わるもので、ある記録可能層の種類や記録状態を別の記録可能層に表示するための種別領域と表示領域を有する光ディスク、及び、その種別領域と表示領域に対して記録または再生が可能で、それらの領域の情報を利用してその別の記録可能層への記録命令に対してその別の層へアクセスする前に記録可否を判断する手段を有する光ディスク装置に関するものである。
【背景技術】
【０００２】
従来の複数の情報層を有する光ディスクにおいては、各情報層を一つのディスクに多層化していた。（例えば、特許文献１参照。）
【特許文献１】特開２００４−９５００５号公報（第４−１４項、第１−１６図）
【発明の開示】
【発明が解決しようとする課題】
【０００３】
しかしながら上記のような光ディスクでは現在記録または再生を行っている記録可能層とは別の記録可能層の種類や記録状態を知る手段が無かった。よって、その別の記録可能層への記録命令に対しては、その別の記録層へアクセスし、その別の記録層の状態を再生した後に記録可否等を判断する必要があったため、記録可否を応答する迄に時間を要してしまう問題点があった。
【０００４】
具体的には、同一の波長を用いて記録または再生を行う複数の記録層のみで構成された光ディスクの場合には、ある層から別の層へ移動することは数ｍｓから数十ｍｓのオーダで実現可能であるが、特に相異なる波長の光を用いて記録または再生を行う記録層間の移動を伴う場合は、その別の層に対する合焦引き込み等に時間を要するため、多大な応答時間を要するという問題点があった。
【課題を解決するための手段】
【０００５】
この発明は上述のような課題を解消するためになされたもので、複数の記録可能層を有し、各々の層に対して光学的に情報の記録または再生を行う光ディスクにおいて、ある記録可能層の管理領域に別の記録可能層の種類を示す種別領域と記録状態を示す表示領域を設けた光ディスク、及び、上記光ディスクに対して記録を行う光ディスク装置において、上記光ディスクのある記録可能層の管理領域に設けられた別の記録層の種類を示す種別領域と記録状態を表示する表示領域に対して、その別の記録層の記録状態を記録する手段を有する光ディスク装置に関するものである。
【発明の効果】
【０００６】
このような種別領域と表示領域を有する光ディスクにおいては、別の記録層の種類や記録状態をその別の層に移動して再生しなくとも入手可能となるので、その別の記録層に対する記録命令に対して短時間で応答できる効果がある。
【発明を実施するための最良の形態】
【０００７】
実施の形態１．
図１はこの発明の実施の形態１における光ディスクの多層構造を示した概略断面図、図２は図１における光ディスク及びその光ディスク上の記録可能層Ｌ１に対して記録及び再生を行っている光ディスク装置の状態を示す概略断面図、図３は図１における光ディスク及びその光ディスク上の記録可能層Ｌ２に対して記録及び再生を行っている光ディスク装置の状態を示す概略断面図、図４は図１における光ディスクの記録可能層Ｌ１上に設けられた管理領域を示す概略図、図５は図４における上記管理領域内に設けられた種別領域と表示領域の位置関係を示す概略図、図６は光ディスク装置が光ディスクの記録可能層Ｌ１上の種別領域と表示領域の情報を読み取った後の記録可能層Ｌ２への記録命令に対するシーケンスを示すフロー図である。
【０００８】
以下、本発明の実施の形態１について図を用いて説明する。図１乃至図３において、光ディスク１上には複数の記録可能層が光ディスク１の厚み方向に積層されて設けられており、それぞれの記録可能層は光学的に記録または再生が可能である。
【０００９】
光ディスク１は図面下側の表面近くに波長λ１の光で記録または再生を行う記録可能層Ｌ１を有し、ディスクの厚み方向の中間付近に波長λ２の光で記録または再生を行う記録可能層Ｌ２を有している。具体的には、記録可能層Ｌ１は波長λ１が約４００ｎｍの青紫色光と開口率が約０．８５の対物レンズで記録または再生を行う層であり、上記表面から約１００マイクロメータの位置に設けられている。この層は例えばブルーレイディスク方式と呼ばれる規格に準拠した層である。一方、記録可能層Ｌ２は波長λ２が約６５０ｎｍの赤色光と開口率が約０．６の対物レンズで記録または再生を行う層であり、上記表面から約６００マイクロメータの位置に設けられている。この層は例えばＤＶＤ−Ｒ方式と呼ばれる規格に準拠した層である。
【００１０】
図２は記録可能層Ｌ１に対して波長λ１の光で記録または再生を行っている状態を示しており、光源２ａから出射された波長λ１の光束３ａはコリメータレンズ４ａにより平行光束に変換され、ビームエキスパンダレンズ群５ａに入射される。その光束３ａはビームエキスパンダレンズ群５ａの相対間隔に応じて平行光束から発散光束や収束光束の適切な光束に変換され出射される。その後、光束３ａは第１プリズム６と第２プリズム７を透過し、第３プリズム８により反射された後、対物レンズ９により記録可能層Ｌ１上に集光スポット１０ａとして集光される。光源２ａの出射光量を適当な一定値に調整することにより再生を行い、出射光量を変調させることにより情報の記録を行う。
【００１１】
Ｌ１層で反射した光束３ａは対物レンズ９に再入射し、その後、第３プリズム８を透過し、センサーレンズ１１により光検知器１２上に集光される。
【００１２】
光検知器１２は受光した光束を光電変換して信号処理手段１３に出力し、信号処理手段１３は光源２ａの発光量を制御するとともに、信号処理後の情報を映像処理手段１４に対して出力する。映像処理手段１４は映像処理後に出力処理を行う。尚、上記光源２ａから上記映像処理手段１４までを含めて光ディスク装置１５が構成されている。
【００１３】
図３は上述のように記録可能層Ｌ２に対して波長λ２の光で記録または再生を行っている状態を示しており、光源２ｂから出射された波長λ２の光束３ｂはコリメータレンズ４ｂにより平行光束に変換される。その後光束３ｂは第１プリズム６で反射された後、第２プリズム７を透過し、第３プリズム８により反射された後、対物レンズ９により記録可能層Ｌ２に集光スポット１０ｂとして集光される。光源２ｂの出射光量を適当な一定値に調整することにより再生を行い、出射光量を変調させることにより情報の記録を行う。
【００１４】
Ｌ２層で反射した光束３ｂは対物レンズ９に再入射し、その後、第３プリズム８を透過し、センサーレンズ１１により光検知器１２上に集光される。その後の処理は上記図１の場合と同一である。但し、信号処理手段１３は光源２ｂに対して発光量の制御を行う。
【００１５】
尚、図３において、波長λ２の赤色光は上記記録可能層Ｌ１の影響を受けずに上記記録可能層Ｌ２に達し、あたかも上記記録可能層Ｌ１が存在しないかのように制御可能である。また、上記記録可能層Ｌ１も波長λ２の赤色光の影響を受けず、上記記録可能層Ｌ２に対して記録または再生を行っても特性が変化することはない。
【００１６】
図４及び図５において、記録可能層Ｌ１上の管理領域２０は上記記録可能層Ｌ１の最内周位置に設けられており、それ以外の部分はほぼデータ領域２１に割り当てられている。その管理領域２０の内部に種別領域２２と表示領域２３がそれぞれ配置されている。この種別領域２２と表示領域２３は記録可能層Ｌ２の種類と記録状態をそれぞれ表示することが可能となっており、例えば種別領域２２のビット情報をＤＶＤ−ＲディスクやＤＶＤ−ＲＷディスク等に割り当て、それぞれの割り当てビットを記録しておくことにより、記録可能層Ｌ２のディスク種類がＤＶＤ−ＲやＤＶＤ−ＲＷであることがその層へアクセスしなくとも判別可能となる。
【００１７】
また、例えば表示領域２３のビットの情報を、記録可能層Ｌ２が未記録の状態である場合や追記が可能な場合にはビット０とし、既に記録可能層Ｌ２の全ての記録領域が使用済みで記録可能領域が無い場合や、記録可能層Ｌ２にこれ以上記録を行わない旨のファイナライズ処理が行われている場合にはビット１を記録することにより、記録可能層Ｌ２の記録状態がその層へアクセスしなくとも判別可能となる。特に、記録可能層Ｌ２が追記型タイプの層であれば、記録可能層Ｌ１に配置されたこれらの種別領域と表示領域の情報は特に有効な情報となる。
【００１８】
ここで、図６を用いて光ディスク装置１５が上記光ディスク１の記録可能層Ｌ１上の種別領域２２と表示領域２３の情報を読み取った後の記録可能層Ｌ２への記録命令対するシーケンスについて説明する。図６において、光ディスク１が光ディスク装置１５に挿入されると（ＳＴ１）、光ディスク装置１５は記録可能層Ｌ１へアクセスし（ＳＴ２）、記録可能層Ｌ１上の種別領域２２と表示領域２３を含む管理領域２０の情報を読み取り（ＳＴ３）、記録可能層Ｌ２の種類と記録状態に関する情報を得る。
【００１９】
続いて、記録可能層Ｌ２に対する記録命令を受け取った場合（ＳＴ４）、上記情報から記録可能層Ｌ２が記録可能かどうかを判断する（ＳＴ５）。もしも記録可能な状態であれば記録可能層Ｌ２へアクセスした後に記録動作を行う（ＳＴ６、７）。もしも記録不可能な状態であれば、例えば記録可能層Ｌ１上の記録可能層Ｌ２層に関する表示領域２３の状態が記録不可能である場合、記録可能層Ｌ２層へアクセスすること無く、記録可能層Ｌ２は記録不可であることを返答し（ＳＴ８）、動作を終了する（ＳＴ９）。
【００２０】
次に上記記録可能層Ｌ１に設けられた記録可能層Ｌ２の記録状態を示す表示領域の情報と、実際の記録可能層Ｌ２の記録状態に齟齬がある場合について説明する。例えば記録可能層Ｌ２が波長λ２の光源を有する光ディスク装置（以下ＤＶＤ記録装置と略記）により記録された後にファイナライズされた場合、その情報は波長λ１で情報が記録される記録可能層Ｌ１の表示領域に反映されていない。その場合、そのディスクを波長λ１の光源を有する光ディスク装置（以下ＢＤ記録装置と略記）に挿入した場合には上記表示領域のビット状態から波長λ２で情報が記録される記録可能層Ｌ２層は記録可能状態と認識し、記録命令に対しては記録動作を開始する。しかし、この状況は従来の上記表示領域が存在しないタイプのディスクと同じ動作であり、何ら不具合を生じさせるものではない。
【００２１】
逆に、例えば記録可能層Ｌ２が書換え可能なタイプの層であり、記録可能領域の残量が無い場合やファイナライズ処理を行った後、その情報が記録可能層Ｌ１の表示領域に反映された場合を想定する。その後、波長λ２で記録されている記録可能層Ｌ２の情報が消去動作等を経た後、再度、記録可能層Ｌ２が記録を行える状態になった場合、その情報は波長λ１で情報が記録される記録可能層Ｌ１の表示領域に反映されていない。その場合、そのディスクを波長λ１の光源を有するＢＤ記録装置に挿入した場合には上記表示領域のビット状態から記録可能層Ｌ２層は記録不可能状態と認識し、記録命令に対しては記録不可能の返答を返す。しかし、この状況を事前に想定して不具合を回避することは容易であり、記録可能層Ｌ２が消去可能な種類である場合は記録不可能の返答を返さず、例えば「記録出来ない可能性が高い」等のコメントを返し、ユーザに記録可能層Ｌ２へのアクセス判断を委ねる方法を採用しても構わない。また、記録可能層Ｌ２を一度記録完了の状態にした後に再度記録可能な状態にする確率は低く、その後にユーザ判断に基づいて記録可能層Ｌ２に移動を開始すればよく、これは従来の上記表示領域が存在しないタイプのディスクと同じ動作であり、何ら不具合を生じさせるものではない。
【００２２】
尚、上記表示領域と実際の記録可能層の関係の齟齬を避けたい場合には、上記記録可能層Ｌ２が書換え不可能で追記可能なタイプの層である場合に限定しても構わない。実際には追記型の層を扱う場合が、書換え可能なタイプの層を扱う場合と比較して格段に多いため、本方法は大きなメリットを得ることが可能となる。
【００２３】
また、ここでは記録可能層Ｌ２の種類と記録状態を記録可能層Ｌ１の種別領域と表示領域に記録する場合について説明を行ったが、逆に記録可能層Ｌ１の種類や記録状態を記録する領域を記録可能層Ｌ２内に設け、その情報を記録しても良いし、両方の層に同時に設けても良い。
【００２４】
また、ここまで種別領域を記録可能とする場合について説明を行ったが、種類は不変であるため、プリピット等の書換え不可能な領域に設けても構わない。
【００２５】
また、記録可能層Ｌ２がＤＶＤ−Ｒ方式の場合を例にとって説明したが、青紫色光を使用した記録層をこの位置に設けても構わない。それはその記録層が規格上どの位置に配置されるかで決定すれば良い。
【００２６】
また、記録可能層Ｌ１が書換え不可能なタイプの層である場合は、記録可能層Ｌ１上の上記表示領域のビットはいわゆるアップデート可能な仕組みを用いて、別のビットに情報を受け渡しし、記録ビット情報を変更すれば良い。
【００２７】
実施の形態２．
図７はこの発明の実施の形態２における光ディスクの多層構造を示した概略断面図、図８は図７における光ディスク及びその光ディスク上の記録可能層Ｌ３に対して記録及び再生を行っている光ディスク装置の状態を示す概略断面図、図９は図７における光ディスクの記録可能層Ｌ１上に設けられた管理領域を示す概略図、図１０は図９における上記管理領域内に設けられた種別領域と表示領域の位置関係を示す概略図である。
【００２８】
図７において、光ディスク３０上には複数の記録可能層が光ディスク３０の厚み方向に積層されて設けられており、それぞれの記録可能層は光学的に記録または再生が可能である。光ディスク３０は図面下側の表面近くに波長λ１の光で記録または再生を行う記録可能層Ｌ１を有し、ディスク３０の上記表面の反対側近くに波長λ３の光で記録または再生を行う記録可能層Ｌ３を有している。記録可能層Ｌ１については実施の形態１と同様であるので説明を省略する。記録可能層Ｌ３は波長λ３が約７８０ｎｍの赤外色光と開口率が約０．４５の対物レンズで記録または再生を行う層であり、上記表面から約１．２ｍｍの位置に設けられている。この層は例えばＣＤ方式と呼ばれる規格に準拠した層である。
【００２９】
図８は記録可能層Ｌ３に対して波長λ３の光で記録または再生を行っている状態を示しており、光源２ｃから出射された波長λ３の光束３ｃはコリメータレンズ４ｃにより平行光束に変換され、第２プリズム７で反射され、第３プリズム８により反射された後、対物レンズ９により記録可能層Ｌ３上に集光スポット１０ｃとして集光される。光源２ｃの出射光量を適当な一定値に調整することにより再生を行い、出射光量を変調させることにより情報の記録を行う。
【００３０】
Ｌ３層で反射した光束３ｃは対物レンズ９に再入射し、その後、第３プリズム８を透過し、センサーレンズ１１により光検知器１２上に集光される。その後の処理は実施の形態１の場合と同一である。但し、信号処理手段１３は光源２ｃに対して発光量の制御を行う。
【００３１】
尚、図８において、波長λ３の赤外色光は上記記録可能層Ｌ１の影響を受けずに上記記録可能層Ｌ３に達し、あたかも上記記録可能層Ｌ１が存在しないかのように制御可能である。また、上記記録可能層Ｌ１も波長λ３の赤外色光の影響を受けず、上記記録可能層Ｌ３に対して記録または再生を行っても特性が変化することはない。
【００３２】
図９及び図１０において、記録可能層Ｌ１上の管理領域４０は上記記録可能層Ｌ１の最内周位置に設けられており、それ以外の部分はほぼデータ領域４１に割り当てられている。その管理領域４０の内部に種別領域４２と表示領域４３がそれぞれ配置されている。この種別領域４２と表示領域４３は記録可能層Ｌ３の種類と記録状態をそれぞれ表示することが可能となっており、例えば種別領域４２のビットの情報をＣＤ−ＲディスクやＣＤ−ＲＷディスク等に割り当て、それぞれの割り当てビットを記録しておくことにより、記録可能層Ｌ３のディスク種類がＣＤ−ＲやＣＤ−ＲＷであることがその層へアクセスしなくとも判別可能となる。
【００３３】
また、例えば表示領域４３のビットの情報を、記録可能層Ｌ３が未記録の状態である場合や追記が可能な場合にはビット０とし、既に記録可能層Ｌ３の全ての記録領域が使用済みで記録可能領域が無い場合やファイナライズ処理が行われている場合にはビット１を記録することにより、記録可能層Ｌ３のディスク状態がその層へアクセスしなくとも判別可能となる。特に、記録可能層Ｌ３が追記型タイプの層であれば、記録可能層Ｌ１に配置されたこれらの種別領域と表示領域の情報は特に有効な情報となる。
【００３４】
光ディスク装置１５が記録可能層Ｌ１上の種別領域４２と表示領域４３の情報を読み取り、記録可能層Ｌ３対してアクセス可能であるかどうかを判断するフローについては実施の形態１についてのフローを示した図６と記録可能層の番号が異なるだけほぼ同一であるためその説明は省略する。
【００３５】
また、上記記録可能層Ｌ１に設けられた記録可能層Ｌ３の記録状態を示す表示領域の情報と、実際の記録可能層Ｌ３の記録状態に齟齬がある場合についても実施の形態１についての説明と記録可能層の番号が異なるだけでほぼ同一であるためその説明を省略する。
【００３６】
実施の形態２では記録可能層Ｌ３の種類と記録状態を記録可能層Ｌ１の種別領域と表示領域に記録する場合について説明を行ったが、逆に記録可能層Ｌ１の種類や記録状態を記録する領域を記録可能層Ｌ３内に設け、その情報を記録しても良いし、両方の層に同時に設けても良い。
【００３７】
このような種別領域と表示領域を有する光ディスクにおいても、別の記録層の種類や記録状態をその別の層に移動して再生しなくとも入手可能となるので、その別の記録層に対するアクセス要求に対して短時間で応答できる効果がある。
【００３８】
実施の形態３．
図１１はこの発明の実施の形態３における光ディスクの多層構造を示した概略断面図である。
【００３９】
以下、本発明の実施の形態３について図を用いて説明する。図１１において、光ディスク５０上には複数の記録可能層が光ディスク５０の厚み方向に積層されて設けられており、それぞれの記録可能層は光学的に記録または再生が可能である。
【００４０】
光ディスク５０上述の記録可能層Ｌ１、記録可能層Ｌ２、及び、記録可能層Ｌ３を全て有しており合計３層が同時に配置されている。
【００４１】
この実施の形態３におけるディスク５０に対する光ディスク装置１５の記録再生の方法や、ディスク５０が挿入された後の記録可能層Ｌ２や記録可能層Ｌ３に対する記録命令に対するフローも上述の実施の形態１及び２の組み合わせであるため、ここでは説明を省略する。
【００４２】
この場合でも、光ディスク５０上に、上記のように種別領域と表示領域を記録可能層Ｌ１、記録可能層Ｌ２、及び、記録可能層Ｌ３にそれぞれ設けても構わないし、選択的に設けても良い。
【００４３】
このような種別領域と表示領域を有する光ディスクにおいても、別の記録層の種類や記録状態をその別の層に移動して再生しなくとも入手可能となるので、その別の記録層に対するアクセス要求に対して短時間で応答できる効果がある。
【図面の簡単な説明】
【００４４】
【図１】この発明の実施の形態１における光ディスクの多層構造を示した概略断面図である。
【図２】この発明の実施の形態１における光ディスク及びその光ディスク上の記録可能層Ｌ１に対して記録及び再生を行っている光ディスク装置の状態を示す概略断面図である。
【図３】この発明の実施の形態１における光ディスク及びその光ディスク上の記録可能層Ｌ２に対して記録及び再生を行っている光ディスク装置の状態を示す概略断面図である。
【図４】この発明の実施の形態１における光ディスク上に設けられた管理領域を示す概略図である。
【図５】この発明の実施の形態１における上記管理領域内に設けられた種別領域と表示領域の位置関係を示す概略図である。
【図６】この発明の実施の形態１における光ディスク装置の記録可能層Ｌ２への記録命令に対するシーケンスを示すフロー図である。
【図７】この発明の実施の形態２における光ディスクの多層構造を示した概略断面図である。
【図８】この発明の実施の形態２における光ディスク及びその光ディスク上の記録可能層Ｌ３に対して記録及び再生を行っている光ディスク装置の状態を示す概略断面図である。
【図９】この発明の実施の形態２における光ディスクの記録可能層Ｌ１上に設けられた管理領域を示す概略図である。
【図１０】この発明の実施の形態２における上記管理領域内に設けられた種別領域と表示領域の位置関係を示す概略図である。
【図１１】この発明の実施の形態３における光ディスクの多層構造を示した概略断面図である。
【符号の説明】
【００４５】
１  光ディスク
２ａ  光源
２ｂ  光源
２ｃ  光源
３ａ  光束
３ｂ  光束
３ｃ  光束
４ａ  コリメータレンズ
４ｂ  コリメータレンズ
４ｃ  コリメータレンズ
５ａ  ビームエキスパンダ群
５ｂ  ビームエキスパンダ群
５ｃ  ビームエキスパンダ群
６  第１のプリズム
７  第２のプリズム
８  第３のプリズム
９  対物レンズ
１０ａ  集光スポット
１０ｂ  集光スポット
１０ｃ  集光スポット
１１  センサーレンズ
１２  光検知器
１３  信号処理手段
１４  映像処理手段
１５  光ディスク装置
２０  管理領域
２１  データ領域
２２  種別領域
２３  表示領域
３０  光ディスク
４０  管理領域
４１  データ領域
４２  種別領域
４３  表示領域
５０  光ディスク
【図１】
2006228305.tif 000003
【図２】
2006228305.tif 000004
【図３】
2006228305.tif 000005
【図４】
2006228305.tif 000006
【図５】
2006228305.tif 000007
【図６】
2006228305.tif 000008
【図７】
2006228305.tif 000009
【図８】
2006228305.tif 000010
【図９】
2006228305.tif 000011
【図１０】
2006228305.tif 000012
【図１１】
2006228305.tif 000013